(57)【特許請求の範囲】
【請求項１】
電子黒板の板書の背面側に固定された一対の軸保持部と、
前記一対の軸保持部に各々上下方向に摺動自在に保持され、上端部先端が前記板書の前面側に位置するようにＬ字型円筒状に形成された一対の保持軸と、
前記板書の前面に配置される投影スクリーンを格納する横長形状のボックスと、
前記一対の保持軸の上端部先端を各々前記ボックスの上面へ取り付けて、前記一対の保持軸を前記ボックスの長手方向に対して位置決めする一対の取付部と、
を備え、
前記一対の保持軸の上端部先端近傍には各々円周方向に沿って溝部が設けられ、前記一対の取付部は前記円筒状保持軸を当該円筒周面に沿って挟み込む円周面部を有し、この円周面部には前記溝部に各々嵌合される凸部が設けられ、前記一対の保持軸は前記一対の取付部を介して前記ボックスを前記板書の面に沿って揺動自在に支持することを特徴とする投影スクリーン取付装置。
【請求項２】
前記一対の保持軸の下端部近傍には各々前記一対の保持軸の移動長分の溝が移動方向に沿って形成され、
前記一対の軸保持部には、前記一対の保持軸が貫通する開口部と、前記一対の保持軸の溝に挿入される軸止め部とが形成されたことを特徴とする請求項１記載の投影スクリーン取付装置。
【発明の詳細な説明】
【０００１】
【発明の属する技術分野】
本発明は、主に、板書状の黒板と、この黒板の上を自走して走査する読取装置を備えた電子黒板にオーバーヘッドプロジェクタ（以下：ＯＨＰ）の投影を行わせる投影スクリーンを取り付けるための装置に関する。
【０００２】
【従来の技術】
従来、電子黒板とＯＨＰのふたつの装置を用いて、プレゼンテーションが行われていたが、装置の占有する場所が大きくなってしまうという問題があった。
【０００３】
そこで、電子黒板にＯＨＰの投影を行い、装置の設置占有面積の軽減とプレゼンテーションの効率を上げる技術が提案されている。
【０００４】
ループ状のフィルムを用いた電子黒板では、書き込みを行う層とＯＨＰの投影を行う層とを組み合わせたフィルムを用い、このフィルムに直接ＯＨＰの投影を行うものがあった。（特開昭６３−１３８８６１号）
【０００５】
【発明が解決しようとしている課題】
しかしながら、板書を用いたタイプの電子黒板にこの技術を用いると以下のような問題が発生してしまっていた。
【０００６】
この種の黒板は横長のものであり、ＯＨＰを投影するためのシートの大きさと比べると小さいため、直接板書に投影したのでは、画面が小さくプレゼンテーションに用いるのは不的確であるという問題があった。
【０００７】
このため、黒板自体を大きくすることも考えられるが、コスト面からみて有効な手段とは言えない。
【０００８】
また、単純に投影スクリーンを取り付けるための軸を黒板に取り付けると、読取を行うための読取装置がじゃまになるため、読取装置を黒板の端に移動させたり、或いは、読取装置自体を取り外さなければならないという問題があった。
【０００９】
本発明は、以上の問題を鑑みてなされたものであり、板書状の黒板を用いた電子黒板に、投影スクリーンの設置を容易に可能にする投影スクリーン取付装置を提供することを目的とする。
【００１０】
【課題を解決するための手段】
本発明は、上述の課題を解決するため、以下の手段を備えた。
【００１１】
請求項１の発明は、電子黒板の板書の背面側に固定された一対の軸保持部と、前記一対の軸保持部に各々上下方向に摺動自在に保持され、上端部先端が前記板書の前面側に位置するようにＬ字型円筒状に形成された一対の保持軸と、前記板書の前面に配置される投影スクリーンを格納する横長形状のボックスと、前記一対の保持軸の上端部先端を各々前記ボックスの上面へ取り付けて、前記一対の保持軸を前記ボックスの長手方向に対して位置決めする一対の取付部と、を備え、前記一対の保持軸の上端部先端近傍には各々円周方向に沿って溝部が設けられ、前記一対の取付部は前記円筒状保持軸を当該円筒周面に沿って挟み込む円周面部を有し、この円周面部には前記溝部に各々嵌合される凸部が設けられ、前記一対の保持軸は前記一対の取付部を介して前記ボックスを前記板書の面に沿って揺動自在に支持することを特徴とする投影スクリーン取付装置である。
【００１４】
この構成により、前記一対の保持軸の上端部先端近傍には各々円周方向に沿って溝部が設けられ、前記一対の取付部はは前記円筒状保持軸を当該円筒周面に沿って挟み込む円周面部を有し、この円周面部には前記溝部に各々嵌合される凸部が設けられ、前記一対の保持軸は前記一対の取付部を介して前記ボックスを前記板書の面に沿って揺動自在に支持するから、投影スクリーンを長手方向に傾けることができるので、投影スクリーンを上方に移動させる際に、一対の軸を平行にスライドさせなくてもよく、片方ずつ順にスライドさせることができるので、一人であっても容易に投影スクリーンの設置を行うことができ、操作性を向上させることができる。
【００１５】
また、請求項２の発明は、前記一対の保持軸には各々前記一対の保持軸の移動長分の溝が移動方向に沿って形成され、前記一対の軸保持部には、前記一対の保持軸が貫通する開口部と、前記一対の保持軸の溝に挿入される軸止め部とが形成されたことを特徴とする請求項１記載の投影スクリーン取付装置である。
【００１６】
この構成により、一対の保持軸を上下動させる際に、軸止め部が保持軸の溝に挿入されるため、溝の長さ以上に保持軸が上下動することがない。よって、不用意に保持軸を動かそうとしても移動が規制され、保持軸が軸保持部から脱落することがない。
【００１７】
【発明の実施の形態】
以下、本発明の一実施の形態について、図面を用いて説明する。
【００１８】
図１は、電子黒板に投影スクリーンを取り付けた状態を示す平面図である。
【００１９】
図１において、板書１は、水性ペン等で書き込みを行うためのフィルムを両面に貼られており、両面に書き込みが行えるようになっている。この板書１は、枠３と枠３に設けられた１対の支軸２により回転可能に保持されており、通常時は、板書１が回転しないように、枠３に備えられた止め具４を用いて、板書１が回転しないように保持している。
【００２０】
止め具４を板書１から取り外し、板書１を回転させることで、書き込みを行う面を切り替えるので、両面に書き込みを行わせることができるようになっている。
【００２１】
また、この枠３には、板書１に線を書く水性ペン（図示せず）を置くための部材が備えられており、この部材の下部に投影スクリーン１３を係止させるためのシート止め具１４が備えられている。この部材は、通常の電子黒板に用いられるものと同様のものである。
【００２２】
投影スクリーン１３は、従来よりある投影スクリーンを格納したＢＯＸ状のものであり、使用時には、シートが引き出され、シートに投影を行うものである。この投影スクリーン１３は、取り付け具１２により保持軸１１に取り付けられている。
【００２３】
板書１に書かれた文字等を読み取る読取装置５は、枠３の上部に引っかけて保持された状態にあり、枠３の下部に設けられた記録部７の操作部６により指示されるようになっている。この構成も、従来よりある自走式の読取装置を用いた電子黒板の構成と同様のものを用いている。
【００２４】
操作部６により指示があると、読取装置５は板書１の上を自走して読み取りを行い、読み取った画像を記録部７により記録紙へ出力する。
【００２５】
このように、板書１等を保持している枠３は、支柱８により保持される。この支柱７には、本装置を移動させるためのローラ９が備えられ、本装置を押すことにより簡単に移動可能としている。
【００２６】
投影スクリーン１３を支えるための保持軸１１は、枠３に取り付けられている軸保持部１０により保持される。投影スクリーン１３を保持する保持軸１１は、Ｌ字型の形状をしており、投影スクリーン１３が読取装置５よりも前の位置にくるように構成されている。
【００２７】
このように、投影スクリーン１３を読取装置５よりも、前に配置したので、投影スクリーン１３を使用している時であっても、読取装置５を動作させることができるので、操作性を向上させることができる。
【００２８】
次に、投影スクリーン１３の拡大図を図２に示す。
【００２９】
投影スクリーン１３は、従来よりある投影スクリーンと同様のものである。また、この投影スクリーン１３は、シートの端部を保持する軸であるシート軸１３ａと、このシート軸１３ａの中央位置には金具１３ａが備えられている。この金具１３ｂは、投影スクリーンを使用する際に、シート軸１３ａを引っ張る際に使用されたり、シート止め具１４に係止させてシートを固定するために用いられる。
【００３０】
次に、投影スクリーン１３を用いた際の本装置の概略側面図を図３に示す。
【００３１】
投影スクリーン１３を使用する場合は、まず、投影スクリーン１３のシート軸１３ａに備えられている金具１３ｂを引っ張り、シートを引き出して金具１３ｂをシート止め具１４に係止させる。
【００３２】
この状態から、保持軸１１を上に伸ばして固定する。図にしめすように、投影スクリーン１３を読取装置５よりも前にくるように配置しているので、投影スクリーン１３を使用中であっても読取動作を行わせることができるようにしている。投影スクリーン１３を読取装置よりもどれだけ前に配置するかは、投影スクリーン１３を使用する際にシートを固定する位置より三角関数を用いれば、当業者であれば容易に求めることが可能であり、装置のバランスとデザイン等により、多少前後するのは言うまでもない。
【００３３】
次に、金具１３ｂをシート止め具１４に係止した拡大図を図４に示す。
【００３４】
図４において、シート止め具１４は、水性ペン等を置くための枠３の下部中央奥に設けられている。このように、水性ペン等を置くための枠３の下部中央奥にシート止め具１４を取り付けたので、シート軸１３ａが枠３に当接するようにしている。さらに、シート軸１３ａは、投影スクリーン１３により引っ張り上げられる力により、枠３を押圧する。このため、シート軸１３ａは枠３を押圧するように固定されるので、シート軸１３ａの両端部がふらついてしまうことを防止することができる。
【００３５】
次に、保持軸１１を保持する軸保持部１０の拡大図を図５に示す。
【００３６】
図５において、軸保持部１０は、ネジ５１により枠３に固定されており、取り外し可能になっている。また、保持軸１１を保持するための開口部５２を有しており、保持軸１１を開口部５２に通すことができるように筒状に構成されている。また、保持軸１１が滑り落ちてこないように、保持軸１１を軸保持部１０に固定するための軸止め具５３を備えている。
【００３７】
また、この保持軸１１には、軸止め具５３により係止されるように、第１の溝５４が備えられている。この第１の溝５４は、ＯＨＰを使用する際に保持軸１１をスライドさせる長さ分の溝で構成されており、その両端部では、より深い溝が設けられている。
【００３８】
次に、軸保持部１０と保持軸１１の側断面図を図６に示す。
【００３９】
図６に示すように、軸止め具５３は、ネジ状のもので構成されている。軸止め具５３を回転させることで、軸止め部５３のネジ部分が第１の溝５４に入り込むようになっている。このように、保持軸１１に軸止め部５３のねじ部分を挿入させる溝を設けたので、保持軸１１をスライドさせる時に保持軸１１が回転してしまうことを防止することができ、操作性を向上させることができる。
【００４０】
また、投影スクリーン１３を使用する時は、軸止め具５２が第１の溝５４の端部にくるまで保持軸１１を上方向にスライドさせる。すると、軸止め具５２が、第１の溝５４の端部５５に当接するので保持軸１１がスライドできなくなる。この状態で、軸止め具５３を回転させて、より深い溝５６にまで軸止め具５３が入りこむようにする。
【００４１】
このように、ＯＨＰを使用する際にスライドさせる長さ分の溝を設け、その端部には、より深い溝を設けたので、スライドさせる距離を気にしなくてもよく、簡単にＯＨＰの設置を行うことができ、さらに、保持軸１１が滑りおちてしまうことをより確実に防止することができる。
【００４２】
次に、投影スクリーン１３を保持軸１１に係止させるための取付部１２の拡大図を図７に示す。
【００４３】
投影スクリーン１３は、投影スクリーン１３に取り付けられる第1の取付部７１と第２の取付部７２によって保持軸１１を挟み込んで固定することで、保持軸１１に保持される。
【００４４】
第１の取付部７１には、第２の取付部７２の突起部７３を係止するための穴部７４が備えられており、この穴部に突起部７３を通し、両取付部をネジ止めすることで保持軸１１を挟み込んで保持する。
【００４５】
また、第２の取付部７２には、第1の取付部７１に向かって凸部７５が備えられている。この凸部７５は、両取付部により保持軸１１を挟み込む際に、保持軸１１に備えられている第２の溝７６に挿入される。
【００４６】
投影スクリーン１３を取り付けた保持軸１１の断面図を図８に示す。
【００４７】
図８に示すように、保持軸１１に備えられた第２の溝７６には、凸部７５が挿入されており、第２の溝７６の中を凸部７５が自由に移動可能となっている。
【００４８】
この構成は、投影スクリーン１３のもう一方側にも同様に備えられているのはいうまでもない。
【００４９】
利用者は、投影スクリーンを取り付ける際に一方の保持軸を上方へスライドさせて保持軸１１を固定する。この際、凸部７５は、第２の溝７６の中を移動し、他方の保持軸１１との高低差ができるため、投影スクリーン１３が傾いた状態になろうとする。
【００５０】
他方の保持軸１１にも同様な構成が備えられており、第２の溝７６の中を凸部７５が移動するので、投影スクリーン１３は容易に傾くようになっている。
【００５１】
このように、投影スクリーン１３を保持する保持軸１１に第２の溝７６を設け、投影スクリーン１３が保持軸１１を中心に回転自在に保持しておくので、投影スクリーン１３を使用する際に、一対の保持軸を平行にスライドさせる必要がなく、片方の保持軸を交互にスライドさせることができるので、一人でも容易に投影スクリーンを設置することができる。
【００５２】
【発明の効果】
以上、説明したように、本発明によれば、板書状の黒板を用いた電子黒板であっても、操作性を損なうことなく、容易に投影スクリーンを設置することができる。
【図面の簡単な説明】
【図１】本発明の一実施の形態における投影スクリーンを電子黒板に取り付けた状態を示す平面図
【図２】上記実施の形態における投影スクリーンの拡大図
【図３】上記実施の形態における投影スクリーンを用いた際の概略側面図
【図４】上記実施の形態における投影スクリーンの金具をシート止め具に係止した拡大図
【図５】上記実施の形態における投影スクリーン取付装置の軸保持部の拡大図
【図６】上記実施の形態における投影スクリーン取付装置の軸保持部と保持軸の側断面図
【図７】上記実施の形態における投影スクリーン取付装置の取り付け具の拡大図
【図８】上記実施の形態における投影スクリーン取付装置の保持軸の断面図
【符号の説明】
１  板書
２  支軸
３  枠
４  止め具
５  読取装置
１０  軸保持部
１１  保持軸
１２  取り付け具
１３  投影スクリーン
１４  シート止め具
【図１】
0004249811.tif 000002
【図２】
0004249811.tif 000003
【図３】
0004249811.tif 000004
【図４】
0004249811.tif 000005
【図５】
0004249811.tif 000006
【図６】
0004249811.tif 000007
【図７】
0004249811.tif 000008
【図８】
0004249811.tif 000009